(57)【特許請求の範囲】
【請求項１】
靴の甲部を覆う靴カバーであって、
カバー部と、
前記カバー部と連続して設けられ、前記カバー部から折り返された、前記靴と係わり合う係止部と、
前記係止部が前記カバー部から折り返された状態を保持する折返保持部と、を備え、
前記カバー部及び前記係止部はそれぞれ同じ足長方向に延びており、
前記足長方向のうち、前記カバー部と前記係止部とが連続している側が足首側であり、
前記カバー部は前記足首側の端部に少なくとも２つのスリット部を有し、
前記係止部は少なくとも２つの前記スリット部を貫通しており、
前記折返保持部は、前記係止部が貫通した２つの前記スリット部の間における前記カバー部の一部である、
靴カバー。
【請求項２】
前記係止部は、前記カバー部が位置する側及び前記足首側に向かって延びている凸部を有する、
請求項１に記載の靴カバー。
【請求項３】
前記足長方向のうち、前記足首側の反対側が爪先側であり、
前記係止部の幅は、前記爪先側の端部の幅が最も大きい、
請求項１または請求項２に記載の靴カバー。
【請求項４】
前記スリット部は前記足長方向と直交する足幅方向に沿って延びており、
前記足長方向のうち、前記足首側の反対側が爪先側であり、
前記カバー部の前記足首側の端部は、前記係止部が貫通する少なくとも２つの前記スリット部のうちの最も前記爪先側に位置する前記スリット部に沿って、前記カバー部が位置する側に折り曲げられている、
請求項１乃至請求項３のうちの１つに記載の靴カバー。
【請求項５】
前記カバー部は、前記足長方向に延びる折部を有し、
前記折部は前記係止部が位置する側から遠ざかるように前記カバー部が折られた部分である、
請求項１乃至請求項４のうちの１つに記載の靴カバー。
【発明の詳細な説明】
【技術分野】
【０００１】
本発明は、靴カバーに関する。
【背景技術】
【０００２】
本技術分野の背景技術として、実用新案登録第３１３７２０５号公報（特許文献１）がある。この公報には、「靴の中に髪の毛が入らないようにするためのひも靴カバー」が記載されている。
【先行技術文献】
【特許文献】
【０００３】
【特許文献１】実用新案登録第３１３７２０５号公報
【発明の概要】
【発明が解決しようとする課題】
【０００４】
靴カバーを靴に容易に固定できないおそれがあった。
【課題を解決するための手段】
【０００５】
上記課題を解決するために、例えば特許請求の範囲に記載の構成を採用する。本願は上記課題を解決する手段を複数含んでいるが、その一例を挙げるならば、
靴の甲部を覆う靴カバーであって、
カバー部と、
前記カバー部と連続して設けられ、前記カバー部から折り返された、前記靴と係わり合う係止部と、
前記係止部が前記カバー部から折り返された状態を保持する折返保持部と、
を備える靴カバー。
【発明の効果】
【０００６】
本発明によれば、靴に容易に固定できる靴カバーを提供できる。
上述した以外の課題、構成及び効果は、以下の実施形態の説明により明らかにされる。
【図面の簡単な説明】
【０００７】
【図１】靴カバーの上面図である。
【図２】靴カバーの底面図である。
【図３】図２のＡ−Ａ線における断面図である。
【図４】靴カバーの斜視図である。
【図５】靴カバーの使用方法を説明する図である。
【図６】靴に靴カバーを固定した状態の図である。
【発明を実施するための形態】
【０００８】
図１乃至図４により靴カバーの一例（実施形態）を説明する。
靴カバー１は、カバー部２、係止部３、及び折返保持部４を備える。
詳細は後述するが、靴カバー１の使用者は、靴カバー１を靴に固定することで、靴の甲部を覆う（保護する）ことができる。
【０００９】
カバー部２は、靴カバー１が靴に固定された場合に、靴の甲部を覆う部分である。
カバー部２は、長手方向（図１乃至図３におけるｘ軸方向）を有する長尺形状であり、かつ所定の厚み（図１乃至図３におけるｚ軸方向）を有する扁平形状である。
【００１０】
以下、カバー部２の長手方向を足長方向とする場合がある。
以下、カバー部２の足長方向と直交する短手方向（図１乃至図３におけるｙ軸方向）を足幅方向とする場合がある。
カバー部２の足長方向及び足幅方向の長さは、靴の足長方向（足の長手方向）及び足幅方向（足の長手方向と直交する短手方向）の長さと対応する長さとなっていることが好ましい。
【００１１】
係止部３は、靴の紐部に係り止められる部分である。係止部３が靴の紐部に係り止まることで靴カバー１が靴に固定される。
係止部３は、カバー部２と連続して設けられ、カバー部２から折り返された部分である。言い換えると、カバー部２と係止部３は同じ材料で一体的に構成されており、折り返された一方側がカバー部２であり、折り返された他方側が係止部３である。
なお、折り目が形成された部分を折返部Ｒとする場合がある。
【００１２】
係止部３は、長手方向（図１乃至図３におけるｘ軸方向）を有する長尺形状であり、かつ所定の厚み（図１乃至図３におけるｚ軸方向）を有する扁平形状である。
係止部３の長手方向はカバー部２の足長方向（長手方向）と同じ方向である。
以下、係止部３の長手方向を足長方向とする場合がある。
係止部３の足長方向の長さは、カバー部２の足長方向の長さより小さい。
【００１３】
係止部３の足長方向と直交する短手方向（図１乃至図３におけるｙ軸方向）は、カバー部２の足幅方向（短手方向）と同じ方向である。
以下、係止部３の短手方向を足幅方向とする場合がある。
係止部３の足幅方向の長さは、カバー部２の足幅方向の長さより小さい。
【００１４】
以下、靴カバー１（カバー部２及び係止部３）の足長方向のうち、折返部Ｒが位置する側を足首側とし、折返部Ｒが位置する側と反対側を爪先側とする場合がある。
以下、靴カバー１（カバー部２及び係止部３）の厚み方向（図１乃至図３におけるｚ軸方向）のうち、カバー部２が位置する側をカバー部側とし、係止部３の爪先側の端部が位置する側（靴に固定される側）を靴側とする場合がある。
【００１５】
ところで、靴カバー１に何らかの外力が加わった場合において、カバー部２と係止部３とが離間してしまうと、カバー部２が靴を覆えない状態となるおそれがある。特に、折り目が形成された部分である折返部Ｒを起点としてカバー部２と係止部３とが回動することで、カバー部２と係止部３とが離間するおそれがある。
そこで、靴カバー１は折返保持部４を有する。
【００１６】
折返保持部４は、カバー部２と係止部３が折り返された状態を保持するための部分である。
折返保持部４は、カバー部２に設けられた２つのスリット部２１（２１Ａ及び２１Ｂ）の間に位置する部分である。
【００１７】
各スリット部２１Ａ及び２１Ｂは、カバー部２から折り返された係止部３が貫通可能に構成されている。
各スリット部２１Ａ及び２１Ｂは、カバー部２の足幅方向に沿って延びている長尺形状である。
各スリット部２１Ａ及び２１Ｂは、カバー部２の足首側に位置する。
２つのスリット部２１Ａ及び２１Ｂは、カバー部２の足長方向において並列して位置する。
以下、２つのスリット部２１Ａ及び２１Ｂのうちの、爪先側のスリット部を内側スリット部２１Ａとし、足首側のスリット部を外側スリット部２１Ｂとする場合がある。
【００１８】
係止部３が２つのスリット部２１を貫通することで、２つのスリット部の間の（カバー部２の一部である）折返保持部４が、係止部３より靴側に位置することになる。
この構造により、カバー部２と係止部３とが折り返された状態を保持することができる。言い換えると、カバー部２と係止部３とが離間することを抑制できる。
【００１９】
図５及び図６により靴カバー１の使用方法を説明する。
靴カバー１の使用者は、図５で図示する破線矢印のとおり、靴Ｓの紐部Ｌと、靴Ｓの上面との間に係止部３を挿入することで、紐部Ｌと係止部３とが係わり合うことにより、靴カバー１を靴Ｓに固定できる。
靴カバー１を靴Ｓに固定した状態を図６で示す。
【００２０】
靴Ｓに靴カバー１を固定した状態において、カバー部２と係止部３とが折り返された状態を保持する（カバー部２と係止部３とが離間することを抑制する）ことで、カバー部２が靴Ｓの上面から離間することを抑制できるため、より確実に靴Ｓの甲部を埃や水などから保護できる。
【００２１】
なお、靴カバー１の係止部３は靴の内部（使用者の足と靴上面との間）に挿入することもできる。
【００２２】
図２及び図３などで図示するとおり、係止部３は凸部３１を有している。
凸部３１は、係止部３に設けられたＵ字状の切込みの内側部分をカバー部側に立ち上げることで形成されている。
凸部３１は、カバー部２が位置する側（カバー部側）及び足首側に向かって延びている。
この構成により、図５の破線矢印の方向と反対方向に係止部３を引き抜く力が加えられた場合に凸部３１と紐部Ｌが係わり合うこととなるため、靴カバー１をより確実に靴Ｓに固定できる。
【００２３】
図２などで図示するとおり、係止部３の幅（足幅方向の長さ）は、係止部３の爪先側の端部３Ａにおける幅（足幅方向の長さ）が最も大きい。
この構成により、図５の破線矢印の方向と反対方向に係止部３を引き抜く力が加えられた場合に端部３Ａと紐部Ｌが係わり合うこととなるため、靴カバー１をより確実に靴Ｓに固定できる。
【００２４】
図３及び図４などで図示するとおり、カバー部２の足首側の端部２Ｂは、カバー部２が位置する側（カバー部側）に折り曲げられている。
折り目は、カバー部２の足幅方向に沿って延びている。
折り目は、内側スリット部２１Ａに沿って設けられている。
この構成により、使用者の足首の動きに対応できるとともに、足首側の端部２Ｂが靴の内部に入り込むことを抑制できるため、使用者は不快感なく靴カバー１を使用できる。
【００２５】
図１及び図４などで図示するとおり、カバー部２は足長方向に延びる折部２２を有する。
折部２２は、係止部３が位置する側（靴側）から遠ざかるようにカバー部２が折られた部分である。言い換えると、カバー部２は足長方向に沿って山折りに折られている。
この構成により、カバー部２の耐久性を向上できる。
【００２６】
靴カバー１を構成する各構成要素はすべて同じ材料で一体的に形成することができる。このため、製造コストを抑えることができる。
材料は、所定の強度（剛性）を有する材料であればよく、ポリプロピレンなどの合成樹脂製材料であってもよく、紙製材料であってもよい。
他の実施形態として、一部が異なる材料で構成されていてもよい。
【００２７】
なお、図３及び図４などで図示するとおり、靴カバー１は、カバー部２及び係止部３の回動の起点である内側スリット部２１Ａより足首側にカバー部２の一部（カバー部２の足首側の端部２Ｂ）が存在している。
さらに、図５及び図６で図示するとおり、靴カバー１の使用時（使用者の足が入った状態の靴Ｓに靴カバー１が固定された場合）における、（端部２Ｂでない）カバー部２とカバー部２の端部２Ｂとの角度Ａ２が、靴カバー１の未使用時における（端部２Ｂでない）カバー部２とカバー部２の端部２Ｂとの角度Ａ１より、小さくなる場合があるように構成されている。言い換えると、靴カバー１の使用時において、カバー部２の端部２Ｂはよりカバー部側に折り曲げられる場合がある。
この構造により、靴カバー１の使用時において、カバー部２は所定の剛性を有することから、カバー部２の爪先側の端部には下向き（靴側へ向けた）モーメントが働くこととなるため、カバー部２の爪先側の端部が浮きにくくなる（靴カバー１が靴Ｓに固定された場合においてカバー部２と靴Ｓとが離間しにくくなる）。
【００２８】
他の実施形態として、カバー部に設けられた、係止部が貫通可能なスリット部は１つ又は３つ以上であってもよい。この構成であっても、カバー部と係止部とが折り返された状態を保持することができる。
【００２９】
以上、本発明について詳細に説明したが、本発明は上述の実施の形態に限定されるものではなく、本発明の要旨を逸脱しない範囲内において、種々の変更、改良等が可能である。
【符号の説明】
【００３０】
１      ：靴カバー
２      ：カバー部
２Ｂ    ：端部
３      ：係止部
３Ａ    ：端部
４      ：折返保持部
２１    ：スリット部
２１Ａ  ：内側スリット部
２１Ｂ  ：外側スリット部
２２    ：折部
３１    ：凸部
Ｒ      ：折返部
【要約】
【課題】      靴に容易に固定できる靴カバーを提供する。
【解決手段】  靴の甲部を覆う靴カバーであって、カバー部と、カバー部と連続して設けられ、カバー部から折り返された、靴と係わり合う係止部と、係止部がカバー部から折り返された状態を保持する折返保持部と、を備える靴カバー。本発明によれば、靴に容易に固定できる靴カバーを提供できる。また、カバー部及び係止部はそれぞれ同じ足長方向に延びており、足長方向のうち、カバー部と係止部とが連続している側が足首側であり、係止部は、カバー部が位置する側及び足首側に向かって延びている凸部を有していてもよい。
【選択図】  図４【図１】
0006944668.tif 000002
【図２】
0006944668.tif 000003
【図３】
0006944668.tif 000004
【図４】
0006944668.tif 000005
【図５】
0006944668.tif 000006
【図６】
0006944668.tif 000007